(57)【要約】      （修正有）【課題】確実な通信状態回復を図るＬＡＮとＷＡＮとを相互接続するルータ機能付き終端装置を含むネットワークのリセット（再起動）技術を提供する。【解決手段】ＬＡＮとＷＡＮとを相互接続するゲートウェイ装置１００と、ゲートウェイ装置に接続され、ＷＡＮ側の外部サーバとの間でデータ通信を行うＬＡＮ接続機器３００と、を含むネットワークのリセットシステムであって、ＬＡＮ接続機器には、ＷＡＮ側に向けた疎通確認処理を行う通信監視部３４１と、疎通確認の結果に基づいて、ネットワークリセット処理の実行／不実行を判定する判定部３４２と、ネットワークリセット処理を実行すると判定された場合に、ゲートウェイ装置に再起動コマンドを送出するリセット処理部３４３と、再起動コマンドの送出に伴って、自身を再起動する自己リセット部３４４と、を含むネットワーク監視制御部３４０が設けられている。【選択図】図２
2022002370.tif 000002
【特許請求の範囲】
【請求項１】
ＬＡＮとＷＡＮとを相互接続するルータ機能付き終端装置と、前記ルータ機能付き終端装置に接続され、ＷＡＮ側の外部サーバとの間でデータ通信を行うＬＡＮ接続機器と、を含むネットワークのリセットシステムであって、
前記ＬＡＮ接続機器は、ネットワーク監視制御部を備えており、
前記ネットワーク監視制御部は、
前記ＷＡＮ側に向けた疎通確認処理を行う通信監視部と、
前記疎通確認の結果に基づいて、ネットワークリセット処理の実行／不実行を判定する判定部と、
前記ネットワークリセット処理を実行すると判定された場合に、前記ルータ機能付き終端装置に再起動コマンドを送出するリセット処理部と、前記再起動コマンドの送出に伴って、自身を再起動する自己リセット部と、を含むことを特徴とするネットワークのリセットシステム。
【請求項２】
ＬＡＮとＷＡＮとを相互接続するルータ機能付き終端装置と、前記ルータ機能付き終端装置に接続され、ＷＡＮ側の外部サーバとの間でデータ通信を行う複数のＬＡＮ接続機器と、を含むネットワークのリセットシステムであって、
少なくとも１つの前記ＬＡＮ接続機器は、ネットワーク監視制御部を備えており、
前記ネットワーク監視制御部は、
前記ＷＡＮ側に向けた疎通確認処理を行う通信監視部と、
前記疎通確認の結果に基づいて、ネットワークリセット処理の実行／不実行を判定する判定部と、
前記ネットワークリセット処理を実行すると判定された場合に、前記ルータ機能付き終端装置に第１再起動コマンドを送出するとともに、他のＬＡＮ接続機器それぞれに第２再起動コマンドを送出するリセット処理部と、
前記第１再起動コマンド及び前記第２再起動コマンドの送出に伴って、自身を再起動する自己リセット部と、を含むことを特徴とするネットワークのリセットシステム。
【請求項３】
複数の前記各ＬＡＮ接続機器は、前記ネットワーク監視制御部をそれぞれ有しており、
複数の前記各ＬＡＮ接続機器は、互いに異なるタイミングで前記疎通確認処理を行うように設定されており、
第１ＬＡＮ接続機器の疎通確認処理において、疎通確認結果がＮＧであった場合に、前記リセット処理部は、第１ＬＡＮ接続機器以外の他のＬＡＮ接続機器すべてに対して前記ルータ機能付き終端装置への再起動コマンド送出フラグをＯＦＦにするための通知を行いつつ、前記ルータ機能付き終端装置に第１再起動コマンドを送出するとともに、前記ルータ機能付き終端装置の再起動が完了する時間に対応した所定の時間待機した後に、他のＬＡＮ接続機器それぞれに第２再起動コマンドを送出することと特徴とする請求項２に記載のネットワークのリセットシステム。
【請求項４】
前記通信監視部は、前記ルータ機能付き終端装置に対して所定の外部サーバが行ったＷＡＮ側疎通確認結果を、前記外部サーバから受信し、
前記判定部は、前記疎通確認の結果がＯＫであっても、前記ＷＡＮ側疎通確認結果がＮＧである場合、前記ネットワークリセット処理を実行すると判定することを特徴とする請求項１から３のいずれか１つに記載のネットワークのリセットシステム。
【請求項５】
前記ルータ機能付き終端装置は、
ＷＡＮ側インターフェース部と、
光信号又はアナログ信号をデジタル信号に変換するＯＮＵ／モデム機能部と、
ＬＡＮ配下の前記ＬＡＮ接続機器とＷＡＮ側の前記外部サーバとの間のデータ転送を行うルータ機能部と、
前記ＬＡＮ接続機器に対するＬＡＮ側インターフェース部と、を有し、
前記ルータ機能付き終端装置は、ＷＡＮ側の所定のＤＨＣＰサーバから可変グローバルＩＰアドレスが割り当てられ、前記外部サーバとの間でＬＡＮとＷＡＮとを相互接続することを特徴とする請求項１から４のいずれか１つに記載のネットワークのリセットシステム。
【請求項６】
前記ＬＡＮ側インターフェース部は、前記ＬＡＮ接続機器に設けられたＵＰｎＰ（Ｕｎｉｖｅｒｓａｌ Ｐｌｕｇ ａｎｄ Ｐｌａｙ）に対応するＵＰｎＰ機能を備えることを特徴とする請求項５に記載のネットワークのリセットシステム。
【請求項７】
前記ルータ機能付き終端装置は、
商用電源から供給される電力のＯＮ／ＯＦＦを含む電力供給制御を行う電源供給部と、
前記ルータ機能付き終端装置全体の制御を司る管理制御部と、を有し、
前記管理制御部は、前記第１再起動コマンドの受信に伴い、所定の終了処理により電源ＯＦＦと同じ状態にした後に再起動するソフトウェアリブート、または、前記電源供給部に電源ＯＦＦコマンドと自動電源ＯＮコマンドを送出するハードウェアリブートを遂行することを特徴とする請求項１から６のいずれか１つに記載のネットワークのリセットシステム。
【請求項８】
ＷＡＮ側の外部サーバとＬＡＮ接続機器とを相互接続するルータ機能付き終端装置を含むネットワークにおいて、前記ＬＡＮ接続機器によって実行されるプログラムであって、前記ＬＡＮ接続機器に、
前記ＷＡＮ側に向けた疎通確認処理を行う第１機能と、
前記疎通確認の結果に基づいて、ネットワークリセット処理の実行／不実行を判定する第２機能と、
前記ネットワークリセット処理を実行すると判定された場合に、前記ルータ機能付き終端装置に再起動コマンドを送出する第３機能と、
前記再起動コマンドの送出に伴って、自身を再起動する第４機能と、
を実現させるためのプログラム。
【請求項９】
ＷＡＮ側の外部サーバと複数のＬＡＮ接続機器とを相互接続するルータ機能付き終端装置を含むネットワークにおいて、前記ＬＡＮ接続機器によって実行されるプログラムであって、前記ＬＡＮ接続機器に、
前記ＷＡＮ側に向けた疎通確認処理を行う第１機能と、
前記疎通確認の結果に基づいて、ネットワークリセット処理の実行／不実行を判定する第２機能と、
前記ネットワークリセット処理を実行すると判定された場合に、前記ルータ機能付き終端装置に第１再起動コマンドを送出するとともに、他のＬＡＮ接続機器それぞれに第２再起動コマンドを送出する第３機能と、
前記第１再起動コマンド及び前記第２再起動コマンドの送出に伴って、自身を再起動する第４機能と、
を実現させるためのプログラム。
【請求項１０】
ＬＡＮとＷＡＮとを相互接続するルータ機能付き終端装置に接続され、ＷＡＮ側の外部サーバとの間でデータ通信を行うＬＡＮ接続機器であって、
前記ＷＡＮ側に向けた疎通確認処理を行う通信監視部と、
前記疎通確認の結果に基づいて、ネットワークリセット処理の実行／不実行を判定する判定部と、
前記ネットワークリセット処理を実行すると判定された場合に、前記ルータ機能付き終端装置に第１再起動コマンドを送出するリセット処理部と、
前記第１再起動コマンドの送出に伴って、自身を再起動する自己リセット部と、
を有することを特徴とするＬＡＮ接続機器。
【請求項１１】
ＬＡＮとＷＡＮとを相互接続するルータ機能付き終端装置に接続され、ＷＡＮ側の外部サーバとの間でデータ通信を行うＬＡＮ接続機器であって、
前記ＷＡＮ側に向けた疎通確認処理を行う通信監視部と、
前記疎通確認の結果に基づいて、ネットワークリセット処理の実行／不実行を判定する判定部と、
前記ネットワークリセット処理を実行すると判定された場合に、前記ルータ機能付き終端装置に第１再起動コマンドを送出するとともに、他のＬＡＮ接続機器それぞれに第２再起動コマンドを送出するリセット処理部と、
前記第１再起動コマンド及び前記第２再起動コマンドの送出に伴って、自身を再起動する自己リセット部と、
を有することを特徴とするＬＡＮ接続機器。
【発明の詳細な説明】
【技術分野】
【０００１】
本発明は、ＬＡＮとＷＡＮとを相互接続するルータ機能付き終端装置を含むネットワークのリセット（再起動）技術に関する。
【背景技術】
【０００２】
ルータ、ＯＮＵやモデム、ホームゲートウェイなどの機器では、通信状態が不安定（通信速度の低下や機能不全など）になったり、通信の遮断が生じたりした場合に、再起動することで通信が回復することが知られている。
【０００３】
特許文献１は、制御プログラムのアップデートやネットワーク設定の設定変更などにおいてゲートウェイが自己で再起動することが記載されている。また、特許文献２には、ｘＤＳＬ回線区間の通信状態を監視し、通信異常を検出した場合に人手を介することなく、自動的に再起動を行い、通信異常を復旧させることが記載されている。
【先行技術文献】
【特許文献】
【０００４】
【特許文献１】特開２００９−１９３１５２号公報
【特許文献２】特開２００８−２２８０２０号公報
【特許文献３】特許第６００２９５９号
【発明の概要】
【発明が解決しようとする課題】
【０００５】
特許文献１，２に記載のように、ルータやホームゲートウェイ（ルータ機能付き終端装置）が、自分で再起動を自動的に行う仕組みによって、再起動操作の手間（ユーザ操作、または作業員による遠隔操作、作業員による現地作業）を省くことができる。
【０００６】
一方で、例えば、ホームゲートウェイだけが再起動しても、通信状態が回復しない場合があり、ＬＡＮ配下のＬＡＮ接続機器の再起動を合わせて行う必要もある。なお、特許文献３には、ルータとの間で正常な通信が行えない場合に、ルータからＬＡＮ配下のＰｏＥ対応機器に対して再起動制御を行う仕組みが記載されている。
【０００７】
しかしながら、ホームゲートウェイとＬＡＮ接続機器との関係を考慮し、ホームゲートウェイを含むローカルネットワーク全体の再起動によって通信状態をリセットする仕組みが存在していなかった。つまり、従来は、ルータやホームゲートウェイの再起動の仕組みと、ＬＡＮ配下の接続機器の再起動の仕組みとが個別に存在しているが、ホームゲートウェイを含むローカルネットワークの上位ノードと下位ノードとの関係を考慮しつつノード全体のリセット（再起動）を順序立てて行っていないため、通信状態回復の確実性の欠如は否めない。
【０００８】
例えば、ネットワークのリセット処理は、上位ノードから下位ノードの順に再起動を行うことで、再起動後の上位ノードに対して下位ノードが後から接続する形となり、再起動前の上位ノードの影響を受け難いリセット処理を行うことができる。しかしながら、特許文献３のように、ホームゲートウェイから下位ノードへの再起動コマンドの送出は、上位ノードであるホームゲートウェイが先に再起動できないため、上位ノードから下位ノードの順に再起動をすることができず、リセット処理の確実性が担保できない。
【０００９】
特に、ルータやホームゲートウェイなどの上位ノードを先に再起動する仕組みを導入する場合、特許文献１から３の各技術では、専用の監視制御装置を別途導入する必要があり、運用しなければならない機器が増加する。運用する機器の増加は、コスト増につながると共に、機器故障リスクも増加するため、運用コストが高くなる課題がある。
【００１０】
本発明の目的は、ルータ機能付き終端装置を含むローカルネットワークの上位ノードと下位ノードとの関係を考慮してノード全体のリセット（再起動）を順序立てて行い、確実な通信状態回復を図ることができるリセットシステムを提供することにある。
【課題を解決するための手段】
【００１１】
（１）本発明は、ＬＡＮとＷＡＮとを相互接続するルータ機能付き終端装置と、ルータ機能付き終端装置に接続され、ＷＡＮ側の外部サーバとの間でデータ通信を行うＬＡＮ接続機器と、を含むネットワークのリセットシステムであり、ＬＡＮ接続機器は、ネットワーク監視制御部を備えている。
【００１２】
上記ネットワーク監視制御部は、ＷＡＮ側に向けた疎通確認処理を行う通信監視部と、疎通確認の結果に基づいて、ネットワークリセット処理の実行／不実行を判定する判定部と、ネットワークリセット処理を実行すると判定された場合に、ルータ機能付き終端装置に再起動コマンドを送出するリセット処理部と、再起動コマンドの送出に伴って、自身を再起動する自己リセット部と、を含む。
【００１３】
（２）本発明は、ＬＡＮとＷＡＮとを相互接続するルータ機能付き終端装置と、ルータ機能付き終端装置に接続され、ＷＡＮ側の外部サーバとの間でデータ通信を行う複数のＬＡＮ接続機器と、を含むネットワークのリセットシステムであり、少なくとも１つのＬＡＮ接続機器は、ネットワーク監視制御部を備えている。
【００１４】
上記ネットワーク監視制御部は、ＷＡＮ側に向けた疎通確認処理を行う通信監視部と、疎通確認の結果に基づいて、ネットワークリセット処理の実行／不実行を判定する判定部と、ネットワークリセット処理を実行すると判定された場合に、ルータ機能付き終端装置に第１再起動コマンドを送出するとともに、他のＬＡＮ接続機器それぞれに第２再起動コマンドを送出するリセット処理部と、第１再起動コマンド及び第２再起動コマンドの送出に伴って、自身を再起動する自己リセット部と、を含む。
【００１５】
（３）上記（２）において、複数の各ＬＡＮ接続機器が、ネットワーク監視制御部をそれぞれ有するように構成することができ、複数の各ＬＡＮ接続機器は、互いに異なるタイミングで疎通確認処理を行うように設定することができる。
【００１６】
このとき、第１ＬＡＮ接続機器の疎通確認処理において、疎通確認結果がＮＧであった場合に、リセット処理部は、第１ＬＡＮ接続機器以外の他のＬＡＮ接続機器すべてに対してルータ機能付き終端装置への再起動コマンド送出フラグをＯＦＦにするための通知を行いつつ、ルータ機能付き終端装置に第１再起動コマンドを送出するとともに、ルータ機能付き終端装置の再起動が完了する時間に対応した所定の時間待機した後に、他のＬＡＮ接続機器それぞれに第２再起動コマンドを送出するように構成することができる。
【００１７】
（４）上記（１）から（３）において、通信監視部は、ルータ機能付き終端装置に対して所定の外部サーバが行ったＷＡＮ側疎通確認結果を、前記外部サーバから受信することができる。判定部は、疎通確認の結果がＯＫであっても、ＷＡＮ側疎通確認結果がＮＧである場合、ネットワークリセット処理を実行すると判定するように構成することができる。
【００１８】
（５）上記（１）から（４）において、ルータ機能付き終端装置は、ＷＡＮ側インターフェース部と、光信号又はアナログ信号をデジタル信号に変換するＯＮＵ／モデム機能部と、ＬＡＮ配下のＬＡＮ接続機器とＷＡＮ側の外部サーバとの間のデータ転送を行うルータ機能部と、ＬＡＮ接続機器に対するＬＡＮ側インターフェース部と、を有するように構成することができる。ルータ機能付き終端装置は、ＷＡＮ側の所定のＤＨＣＰサーバから可変グローバルＩＰアドレスが割り当てられ、外部サーバとの間でＬＡＮとＷＡＮとを相互接続するように構成される。
【００１９】
（６）上記（５）において、ＬＡＮ側インターフェース部は、ＬＡＮ接続機器に設けられたＵＰｎＰ（Ｕｎｉｖｅｒｓａｌ Ｐｌｕｇ ａｎｄ Ｐｌａｙ）に対応するＵＰｎＰ機能を備えるように構成することができる。
【００２０】
（７）上記（１）から（６）において、ルータ機能付き終端装置は、商用電源から供給される電力のＯＮ／ＯＦＦを含む電力供給制御を行う電源供給部と、ルータ機能付き終端装置全体の制御を司る管理制御部と、を有するように構成される。このとき、管理制御部は、第１再起動コマンドの受信に伴い、所定の終了処理により電源ＯＦＦと同じ状態にした後に再起動するソフトウェアリブート、または、電源供給部に電源ＯＦＦコマンドと自動電源ＯＮコマンドを送出するハードウェアリブートを遂行することができる。
【００２１】
（８）本発明は、ＷＡＮ側の外部サーバとＬＡＮ接続機器とを相互接続するルータ機能付き終端装置を含むネットワークにおいて、ＬＡＮ接続機器によって実行されるプログラムである。本プログラムは、前記ＬＡＮ接続機器に、ＷＡＮ側に向けた疎通確認処理を行う第１機能と、疎通確認の結果に基づいて、ネットワークリセット処理の実行／不実行を判定する第２機能と、ネットワークリセット処理を実行すると判定された場合に、ルータ機能付き終端装置に再起動コマンドを送出する第３機能と、再起動コマンドの送出に伴って、自身を再起動する第４機能と、を実現させる。
【００２２】
（９）本発明は、ＷＡＮ側の外部サーバと複数のＬＡＮ接続機器とを相互接続するルータ機能付き終端装置を含むネットワークにおいて、ＬＡＮ接続機器によって実行されるプログラムである。本プログラムは、ＬＡＮ接続機器に、ＷＡＮ側に向けた疎通確認処理を行う第１機能と、疎通確認の結果に基づいて、ネットワークリセット処理の実行／不実行を判定する第２機能と、ネットワークリセット処理を実行すると判定された場合に、ルータ機能付き終端装置に第１再起動コマンドを送出するとともに、他のＬＡＮ接続機器それぞれに第２再起動コマンドを送出する第３機能と、第１再起動コマンド及び第２再起動コマンドの送出に伴って、自身を再起動する第４機能と、を実現させる。
【００２３】
（１０）本発明は、ＬＡＮとＷＡＮとを相互接続するルータ機能付き終端装置に接続され、ＷＡＮ側の外部サーバとの間でデータ通信を行うＬＡＮ接続機器である。ＬＡＮ接続機器は、ＷＡＮ側に向けた疎通確認処理を行う通信監視部と、疎通確認の結果に基づいて、ネットワークリセット処理の実行／不実行を判定する判定部と、ネットワークリセット処理を実行すると判定された場合に、ルータ機能付き終端装置に第１再起動コマンドを送出するリセット処理部と、第１再起動コマンドの送出に伴って、自身を再起動する自己リセット部と、を有する。
【００２４】
（１１）本発明は、ＬＡＮとＷＡＮとを相互接続するルータ機能付き終端装置に接続され、ＷＡＮ側の外部サーバとの間でデータ通信を行うＬＡＮ接続機器である。ＬＡＮ接続機器は、ＷＡＮ側に向けた疎通確認処理を行う通信監視部と、疎通確認の結果に基づいて、ネットワークリセット処理の実行／不実行を判定する判定部と、ネットワークリセット処理を実行すると判定された場合に、ルータ機能付き終端装置に第１再起動コマンドを送出するとともに、他のＬＡＮ接続機器それぞれに第２再起動コマンドを送出するリセット処理部と、第１再起動コマンド及び第２再起動コマンドの送出に伴って、自身を再起動する自己リセット部と、を有する。
【発明の効果】
【００２５】
本発明は、ルータ機能付き終端装置に接続されるＬＡＮ配下のＬＡＮ接続機器が、ネットワーク監視制御部を備え、ＷＡＮ側に向けた疎通確認結果に基づいてネットワークリセット処理の実行／不実行を判定して実行する。
【００２６】
このとき、ネットワークリセット処理の実行に際して、下位ノードであるＬＡＮ接続機器が、上位ノードであるルータ機能付き終端装置に再起動コマンドを送出するとともに、この上位ノードへの再起動コマンドの送出に伴って、ＬＡＮ接続機器自身も再起動する。
【００２７】
下位ノードから上位ノードに対して再起動を制御することで、追加的な監視機器等が不要となり、かつルータ機能付き終端装置を含むローカルネットワークの上位ノード及び下位ノードの各再起動を順序立てて行うことができ、確実な通信状態回復を図ることができる。
【図面の簡単な説明】
【００２８】
【図１】第１実施形態のリセットシステムが適用される各機器のネットワーク構成図である。
【図２】第１実施形態のゲートウェイ装置及びＬＡＮ接続機器の機能ブロックを説明するための図である。
【図３】第１実施形態のネットワークリセット処理を詳細説明図である。
【図４】第１実施形態のネットワークリセット処理の処理フローを示す図である。
【発明を実施するための最良の形態】
【００２９】
（第１実施形態）
図１から図４は、第１実施形態のリセットシステムを説明するための図であり、図１は、リセットシステムが適用されるネットワークの構成図である。
【００３０】
図１に示すように、ゲートウェイ装置１００は、ＬＡＮ（Ｌｏｃａｌ Ａｒｅａ Ｎｅｔｗｏｒｋ）とＷＡＮ（Ｗｉｄｅ Ａｒｅａ Ｎｅｔｗｏｒｋ）とを相互接続するルータ機能付き終端装置であり、一例としては、住宅、職場、工場、施設などに設置されるホームゲートウェイである。
【００３１】
ゲートウェイ装置１００は、複数のＬＡＮ接続機器３００（３００Ａ，３００Ｂ，３００Ｃ・・・、３００Ｎ）が接続され、ＬＡＮ接続機器群に対して、無線ＬＡＮ又は有線ＬＡＮのローカルネットワークを形成する。
【００３２】
また、ゲートウェイ装置１００は、ＷＡＮ側と有線通信回線で接続され、光ケーブルや同軸ケーブルを介してＩＰ（Ｉｎｔｅｒｎｅｔ ｐｒｏｔｏｃｏｌ）網に接続する。ＷＡＮ側には、ＩＰ網に接続された、ＤＨＣＰサーバ４００や外部サーバ５００などが位置している。
【００３３】
以下の説明では、ＬＡＮ接続機器３００として、監視カメラを一例に説明するが、ＬＡＮ接続機器３００の他の態様としては、通信機器であれば、特に限定されるものではない。例えば、デスクトップ型やノート型のコンピュータ装置、スマートフォンなどの多機能携帯電話機やＰＤＡ（Ｐｅｒｓｏｎａｌ Ｄｉｇｉｔａｌ Ａｓｓｉｓｔａｎｔ）、タブレット型端末などの持ち運び可能な携帯端末（モバイル端末）であってもよい。また、センサ装置、エアコンや冷蔵庫、テレビなどの家電機器、その他のＩＯＴ機器なども、ＬＡＮ接続機器として含むことができる。つまり、ＬＡＮ接続機器３００は、通信機能を備え、ゲートウェイ装置１００に対してＬＡＮ接続されるローカルネットワークノードであって、ＩＰ網を通じて外部サーバ５００とデータ通信を行うことができる機器であればよい。
【００３４】
また、ゲートウェイ装置１００配下の複数のＬＡＮ接続機器群は、全てが同じ機器でなくてもよい。つまり、全てのＬＡＮ接続機器３００が、監視カメラで構成されたノード群である態様以外にも、監視カメラ、スマートフォン、エアコン、テレビなどで構成された機器種別が異なるＬＡＮ接続機器群であってもよい。
【００３５】
ＤＨＣＰサーバ４００は、ゲートウェイ装置１００に対し、ＩＰ網における可変グローバルＩＰアドレスを割り当てる。
【００３６】
外部サーバ５００は、ＩＰ網を通じてＬＡＮ接続機器３００との間でデータ通信を行う機器である。例えば、監視カメラであるＬＡＮ接続機器３００が、撮影した動画や静止画の映像データや検出情報などを外部サーバ５００に伝送することができる。また、外部サーバ５００は、監視カメラに対して設定情報や制御情報などの各種情報を送ることもできる。なお、外部サーバ５００の一態様としては、サービス管理装置を挙げることができるが、これに限るものではなく、ゲートウェイ装置１００を介してＷＡＮ側に位置する、ＬＡＮ接続機器３００の様々な通信相手が含まれる。
【００３７】
図２は、ゲートウェイ装置１００及びＬＡＮ接続機器３００の機能ブロックを説明するための図である。
【００３８】
図２に示すように、ゲートウェイ装置１００は、光ケーブルや同軸ケーブルが接続されるＷＡＮ側インターフェース（ＷＡＮ側ＩＦ）部１１０と、光信号又はアナログ信号をデジタル信号に変換するＯＮＵ／モデム機能部１１１と、を備える。ＷＡＮ側インターフェース部１１０は、ＯＬＴ（ＯｐｔｉｃａｌＬｉｎｅ Ｔｅｒｍｉｎａｌ）などの、加入した通信会社の局側に設置される光回線等の終端装置と接続される。
【００３９】
また、ゲートウェイ装置１００は、ＬＡＮ接続機器３００に対する通信インターフェースであるＬＡＮ側インターフェース（ＬＡＮ側ＩＦ）部１２０と、ＬＡＮ配下のＬＡＮ接続機器３００とＷＡＮ側の外部サーバ５００との間のデータ転送を行うルータ機能部１２１と、を備える。ルータ機能部１２１は、上述の割り当てられた可変グローバルＩＰアドレスを送信元ＩＰアドレスとして、外部サーバ５００との間の通信を行うと共に、複数の各ＬＡＮ接続機器３００それぞれに対するルーティング処理を行う。
【００４０】
なお、ＬＡＮ側インターフェース部１２０は、ＬＡＮ接続機器３００に設けられたＵＰｎＰ（Ｕｎｉｖｅｒｓａｌ Ｐｌｕｇ ａｎｄ Ｐｌａｙ）に対応するＵＰｎＰ機能を備えることができる。ＵＰｎＰなどのネットワークプロトコルを導入することで、ゲートウェイ装置１００と各ＬＡＮ接続機器３００との間の接続利用が容易になる。
【００４１】
また、ＬＡＮ接続機器３００は、ＰｏＥ対応機器として構成することもできる。この場合、ゲートウェイ装置１００からＬＡＮケーブル（ツイストペアケーブル（ＵＴＰ））を通じた各ＬＡＮ接続装置３００に電源を供給することができ、複数のＬＡＮ接続機器３００それぞれの電源を個別に確保する必要がない。
【００４２】
管理制御部１４０は、ルータ機能付き終端装置としての全体制御を司る。また、管理制御部１４０は、本実施形態のネットワークリセット処理において、再起動コマンドの受信に伴って、自己のリブート（再起動）処理を行う。リブート処理は、所定の終了処理により電源ＯＦＦと同じ状態にした後に再起動するソフトウェアリブート、または、電源供給部１５０に電源ＯＦＦコマンドと自動電源ＯＮコマンドを送出するハードウェアリブートである。電源供給部１５０は、商用電源から供給される電力のＯＮ／ＯＦＦを含む電力供給制御を行う。
【００４３】
次に、ＬＡＮ接続機器３００について説明する。図２に示すように、ＬＡＮ接続機器３００は、ＬＡＮ側インターフェース（ＬＡＮ側ＩＦ）部３１０、機器制御部３２０、機器制御部３２０の制御対象である機器デバイス３３０、及びネットワーク監視制御部３４０を含んで構成されている。
【００４４】
機器デバイス３３０は、監視カメラでいうところの撮像装置であり、撮像装置の撮影動作制御、撮影データの記憶・伝送などの各制御を、機器制御部３２０が行う。
【００４５】
ＬＡＮ側インターフェース部３１０は、ゲートウェイ装置１００のＬＡＮ側インターフェース部１２０に対する通信ＩＦである。なお、ゲートウェイ装置１００とＬＡＮ接続機器３００との間の通信接続は、有線又は無線で行うことができる。ＬＡＮケーブル等の有線接続の場合は、ＬＡＮ側インターフェース部１２０，３１０は、ＬＡＮポートを含むネットワークカード（例えば、ＬＡＮカード）であり、ＷＩ−ＦＩ（登録商標）等の無線接続の場合は、ＬＡＮ側インターフェース部１２０，３１０は、無線通信用のネットワークアダプタである。
【００４６】
また、複数の各ＬＡＮ接続機器３００とゲートウェイ装置１００との間にスイッチ等の中継機器を設けて相互に接続したり、中継機器を介さずにゲートウェイ装置１００に対して直接接続されたりする態様であってもよい。
【００４７】
ネットワーク監視制御部３４０は、プログラムモジュールで構成されており、ソフトウェアとしてインストールされ、ＬＡＮ接続機器３００に組み込まれる。ネットワーク監視制御部３４０は、通信監視部３４１、判定部３４２、リセット処理部３４３、及び自己リセット部３４４を含んで構成されている。
【００４８】
通信監視部３４１は、ＷＡＮ側に向けた疎通確認処理を行う。例えば、ｐｉｎｇなどの疎通確認コマンドを実行し、ＩＰパケットを所定のネットワークノードに送信して返答の有無を確認することで、疎通有無を把握することができる。なお、ＷＡＮ側に向けた疎通確認としては、例えば、外部サーバ５００や所定のＤＮＳサーバにＩＰパケットを送信したり、予め把握している固定ＩＰアドレス宛にＩＰパケットを送信したりすることができる。また、本実施形態では、ゲートウェイ装置１００が、ＤＨＣＰサーバ４００から可変グローバルＩＰアドレスが割り当てられるので、ゲートウェイ装置１００における可変グローバルＩＰアドレスの割り当て履歴（取得履歴）を確認することで、ＷＡＮ側に向けた疎通確認を行うこともできる。
【００４９】
なお、疎通確認は、１つ又は複数の疎通確認チャネルを用いた手法を任意に適用することができる。例えば、特定の又は任意の１つの疎通確認チャネルだけを登録しておき、その疎通確認チャネルを用いた疎通確認処理を行うことができる。別の態様としては、複数の疎通確認チャネルを登録しておき、所定又は任意の順序でチャネルを選択して順次疎通確認を行う。そして、複数の疎通確認チャネルのうち、いずれか１つのチャネルで疎通していれば疎通ＯＫと判定するようにしてもよい。
【００５０】
さらに別の態様では、複数の疎通確認チャネルを登録しておき、まず、特定の疎通確認チャネルとして外部サーバ５００のチャネルで疎通確認処理を行う。そして、外部サーバ５００のチャネルで不通と判定された場合、残りの他の疎通確認チャネルで疎通確認処理を行い、いずれか１つの疎通確認チャネルで疎通ＯＫが確認されれば、外部サーバ５００のチャネルで不通であっても、ゲートウェイ装置１００の通信状態を「疎通ＯＫ」と判定することができる。逆に、外部サーバ５００のチャネルで不通と判断された場合であって、残りの他の疎通確認チャネルすべてで不通と判定された場合に、ゲートウェイ装置１００は、不通であると判定するように構成することもできる。
【００５１】
判定部３４２は、通信監視部３４１から出力される疎通確認の結果に基づいて、ネットワークリセット処理の実行／不実行を判定する。なお、後述するように、通信監視部３４１からの疎通確認結果だけでなく、外部サーバ５００からゲートウェイ装置１００に対する疎通確認処理の結果を加味して、ネットワークリセット処理の実行／不実行を判定するように構成することもできる。
【００５２】
リセット処理部３４３は、ネットワークリセット処理を実行すると判定された場合に、ゲートウェイ装置１００に対し、再起動コマンドを送出する。自己リセット部３４４は、再起動コマンドの送出に伴って、自身を再起動する処理を行う。
【００５３】
図３は、本実施形態のネットワークリセット処理を詳細説明図である。
【００５４】
まず、ネットワークリセット処理の実行／不実行を判定する処理について説明する。当該判定処理では、２つの疎通確認結果を用いる。１つは、ＬＡＮ接続機器３００から外部サーバ５００に向けた通信監視部３４１による疎通確認処理の結果（疎通ＯＫ／疎通ＮＧ）である。図３の例では、上りＷＡＮ疎通確認結果に相当する。
【００５５】
一方、外部サーバ５００は、ゲートウェイ装置１００に対し、通信監視部３４１と同様の疎通確認処理を行うことができる。例えば、ゲートウェイ装置１００又は／及びＬＡＮ接続機器３００に向けたＩＣＭＰのｐｉｎｇコマンド（必要に応じてポート番号を指定したコマンドも含まれる）を実行して疎通確認のためのＩＰパケットを送出する。この外部サーバ５００側からの疎通確認処理の結果（疎通ＯＫ／疎通ＮＧ）が、図３の下りＷＡＮ疎通確認結果に相当する。外部サーバ５００は、定期的に疎通確認処理を行い、疎通確認結果を蓄積することができる。なお、疎通確認処理は、公知の技術を適宜適用することができる。
【００５６】
そして、判定部３４２は、上りＷＡＮ疎通確認結果がＮＧであれば、その時点で、ネットワークリセット処理を実行する旨の判定を行うが、本実施形態では、外部サーバ５００から取得した当該外部サーバ５００側の疎通確認結果がＮＧである（又は疎通確認結果を取得できない）場合にも、上りＷＡＮ疎通確認結果がＯＫであってもネットワークリセット処理を実行する旨の判定を行うように構成している。
【００５７】
例えば、通信監視部３４１は、外部サーバ５００が行ったゲートウェイ装置１００に向けた下り疎通確認処理の結果（ＷＡＮ側疎通確認結果）を、任意のタイミングで当該外部サーバ５００から受信するように構成することができる。また、外部サーバ５００が、ゲートウェイ装置１００に対して任意のタイミングで送信するように構成してもよい。
【００５８】
このように構成することで、ゲートウェイ装置１００からの上り通信の状態だけでなく、下り通信の状態も考慮したリセット処理により、外部サーバ５００からゲートウェイ装置１００への通信状態の品質向上を図ることができる。
【００５９】
リセット処理部３４３及び自己リセット３４４は、判定部３４２の判定結果に基づいて、ネットワークリセット処理（再起動処理）を開始する。
【００６０】
図３の例は、ゲートウェイ装置１００のＬＡＮ配下に、複数のＬＡＮ接続機器３００が接続された態様であり、複数の各ＬＡＮ接続機器が、ネットワーク監視制御部３４０をそれぞれ有している。なお、これら複数の各ＬＡＮ接続機器は、互いに異なるタイミングで通信監視部３４１が疎通確認処理を行うように設定することができる。
【００６１】
例えば、ＬＡＮ接続機器３００Ａ（第１ＬＡＮ接続機器）で疎通確認処理を行い、疎通確認結果がＮＧであると判定された場合に、ＬＡＮ接続機器３００Ａのリセット処理部３４３は、ＬＡＮ接続機器３００Ａ以外の他のＬＡＮ接続機器３００Ｂ，３００Ｃ，・・・、３００Ｎすべてに対して、ゲートウェイ装置１００への再起動コマンド送出フラグをＯＦＦにするための通知を行う（処理ａ）。図３の例において、他のＬＡＮ接続機器３００Ｂ，３００Ｃ，・・・、３００Ｎは、この通知に基づいてゲートウェイ装置再起動フラグを「ＯＦＦ」に更新する。
【００６２】
リセット処理部３４３は、処理ａの通知に連動し、ゲートウェイ装置１００に再起動コマンド（第１再起動コマンド）を送出する（処理ｂ）。なお、リセット処理部３４３は、ゲートウェイ装置１００の管理制御部１４０に対して認証（ログイン）手順を踏むように構成することができる。つまり、ゲートウェイ装置１００は、リセット処理部３４３からのログイン要求に対して認証処理を行い、認証結果がＯＫである場合に、再起動コマンドを受け付けるように構成することができる。ゲートウェイ装置１００は、受け付けた再起動コマンドに従い、上述したリブート（再起動）処理を行う。
【００６３】
リセット処理部３４３は、再起動コマンドの送出をトリガーに、ゲートウェイ装置１００の再起動が完了するまで待機する（処理ｃ）。なお、ゲートウェイ装置１００の再起動が完了したか否かを確認するために、リセット処理部３４３は、所定時間待機した後に、ゲートウェイ装置１００に対して起動確認リクエストを送出するように構成してもよい。
【００６４】
リセット処理部３４３は、ゲートウェイ装置１００の再起動が完了する時間に対応した所定時間待機した後に、他のＬＡＮ接続機器３００Ｂ等それぞれに再起動コマンド（第２再起動コマンド）を送出する（処理ｄ）。これら他のＬＡＮ接続機器３００Ｂ，３００Ｃ，・・・、３００Ｎは、受信した再起動コマンド基づいて自己再起動フラグを「ＯＮ」に更新し、自己リセット部３４４が自己再起動フラグ「ＯＮ」に基づいて、再起動処理を行う。
【００６５】
そして、ＬＡＮ接続機器３００Ａのリセット処理部３４３は、他のＬＡＮ接続機器３００Ｂ等への再起動コマンドの送出に伴って、自身の自己再起動フラグを「ＯＮ」に更新し、自己リセット部３４４が自己再起動フラグ「ＯＮ」に基づいて、自身の再起動処理を行う（処理ｅ）。
【００６６】
このように本実施形態のネットワークリセット処理は、下位ノードであるＬＡＮ接続機器３００が、上位ノードであるゲートウェイ装置（ルータ機能付き終端装置）１００に再起動コマンドを送出してゲートウェイ装置１００の再起動処理を先に行わせ、その後、ＬＡＮ接続機器３００自身も再起動する。
【００６７】
このように、下位ノードから上位ノードに対して再起動を制御することで、追加的な監視機器等が不要となり、コスト低減を図ることができると共に、ゲートウェイ装置１００を含むローカルネットワーク内の上位ノード及び下位ノードの各再起動を上流から順序立てて行うことができ、確実な通信状態回復を図ることができる。確実な通信状態の回復措置環境の実現により、通信状態が「不通」となる状態、例えば、通信障害により通信できない状態を低減又は回避することができ、通信障害対応に伴うコスト（障害復旧のための技術員の派遣コストや応対コストなど）を低減させることができる。
【００６８】
なお、図３の例は、複数のＬＡＮ接続機器３００をＬＡＮ配下としたローカルネットワークの態様であるが、例えば、ゲートウェイ装置１００に対して１つのＬＡＮ接続機器３００しか接続されていないローカルネットワークの場合、図３の例において処理ａ及び処理ｄを省略したネットワークリセット処理となる。
【００６９】
なお、上記説明では、全てのＬＡＮ接続機器３００が、ネットワーク監視制御部３４０をそれぞれ備えているが、例えば、いずれか１つのＬＡＮ接続機器３００、または、一部の数台のＬＡＮ接続機器３００が、ネットワーク監視制御部３４０を備えるように構成してもよい。
【００７０】
図４は、本実施形態のネットワークリセット処理の処理フローを示す図である。
【００７１】
外部サーバ５００は、定期的に任意のタイミングで、ゲートウェイ装置１００又はＬＡＮ接続機器３００に向けた疎通確認処理を行い（Ｓ５０１）、下りＷＡＮ疎通確認結果を格納する（Ｓ５０２）。
【００７２】
一方、ＬＡＮ接続機器３００Ａも、所定のタイミングで外部サーバ５００に向けた疎通確認処理を行う（Ｓ３０１）。このとき、上りＷＡＮ疎通確認結果がＯＫであれば、ＬＡＮ接続機器３００Ａは、外部サーバ５００に対して、下りＷＡＮ疎通確認結果を取得するように、データ通信を行うことができる。また、外部サーバ５００が、ＬＡＮ接続機器３００Ａからの疎通確認パケットの受信に伴い、下りＷＡＮ疎通確認結果を提供するように構成することができる（Ｓ５０３）。
【００７３】
ＬＡＮ接続機器３００Ａは、まず、ステップＳ３０１の処理実行を契機に、上りＷＡＮ疎通確認結果がＯＫであるか否かを確認し（Ｓ３０２）、疎通ＯＫであれば、さらに、外部サーバ５００から受信した下りＷＡＮ疎通確認結果を確認する（Ｓ３０３）。
【００７４】
ステップＳ３０２，Ｓ３０３を通じ、上りＷＡＮ疎通確認結果がＮＧの場合と、上りＷＡＮ疎通確認結果がＯＫであるが下りＷＡＮ疎通確認結果がＮＧの場合と、でステップＳ３０４以降のネットワークリセット処理（ＷＡＮ通信回復用の再起動処理）を開始する。
【００７５】
まず、ステップＳ３０５において、ゲートウェイ装置１００のＬＡＮ配下に、他のＬＡＮ接続機器３００が存在するか否かを確認する。例えば、ＬＡＮ接続機器３００Ａは、マルチキャストでｐｉｎｇコマンドを送出して、稼働しているＬＡＮ接続機器３００を把握したり、予め設定されたローカルネットワーク配下の接続機器リストなどを確認することで、ゲートウェイ装置１００のＬＡＮ配下の他のＬＡＮ接続機器３００を把握することができる。
【００７６】
ＬＡＮ接続機器３００Ａは、他のＬＡＮ接続機器３００が存在しない場合は、ステップＳ３０６（図３の処理ａに相当）をスキップし、他のＬＡＮ接続機器３００が存在する場合は、ステップＳ３０６に進む。ＬＡＮ接続機器３００Ａは、ステップＳ３０６において、ＬＡＮ接続機器３００Ａ以外の他のＬＡＮ接続機器３００Ｂ，３００Ｃ，・・・、３００Ｎすべてに対して、ゲートウェイ装置１００への再起動コマンド送出フラグをＯＦＦにするための通知を行う。
【００７７】
なお、存在が確認された複数のＬＡＮ接続機器３００のうち、稼働（起動）しておらず、電源ＯＦＦのＬＡＮ接続機器が存在しても、マルチキャストでゲートウェイ装置１００への再起動コマンド送出フラグをＯＦＦにする通知を行うことができる。
【００７８】
次に、ＬＡＮ接続機器３００Ａは、ゲートウェイ装置１００の管理制御部１４０に対してログインし（Ｓ３０７）、ゲートウェイ装置１００に再起動コマンドを送出する（図３の処理ｂに相当）。このとき、ＬＡＮ接続機器３００Ａは、ゲートウェイ装置１００に再起動コマンドを送出したことに伴い、自己のゲートウェイ装置再起動フラグをＯＦＦにする。ゲートウェイ装置１００は、受け付けた再起動コマンドに従い、リブート（再起動）処理を行う（Ｓ１０１）。
【００７９】
ＬＡＮ接続機器３００Ａは、ゲートウェイ装置１００への再起動コマンドの送出をトリガーに、ゲートウェイ装置１００の再起動が完了するまで待機する（Ｓ３１０，図３の処理ｃに相当）。なお、上述のように、ゲートウェイ装置１００の再起動が完了したか否かを確認する処理を行ってもよい（Ｓ３０９）。
【００８０】
ＬＡＮ接続機器３００Ａは、ゲートウェイ装置１００の再起動が完了する時間に対応した所定時間待機した後に、他のＬＡＮ接続機器３００それぞれに自己再起動コマンドを送出する（Ｓ３１１、図３の処理ｄに相当）。そして、ＬＡＮ接続機器３００Ａは、他のＬＡＮ接続機器３００への再起動コマンドの送出に伴って、自身の自己再起動処理を行う（Ｓ３１２、図３の処理ｅに相当）。
【００８１】
最後に、ＬＡＮ接続機器３００Ａは、ゲートウェイ装置１００のネットワークリセット処理の実行履歴（ＷＡＮ通信回復用の再起動処理ログ）を、外部サーバ５００に送信する（Ｓ３１３）。外部サーバ５００は、受信したＷＡＮ通信回復用の再起動処理ログを蓄積する。
【００８２】
以上、本実施形態について説明したが、ＬＡＮ接続装置３００の各機能は、プログラムによって実現可能であり、各機能を実現するために予め用意されたコンピュータプログラムが補助記憶装置に格納され、ＣＰＵ等の制御部が補助記憶装置に格納されたプログラムを主記憶装置に読み出し、主記憶装置に読み出された該当プログラムを制御部が実行することで、各部の機能を動作させることができる。
【００８３】
また、上記プログラムは、コンピュータ読取可能な記録媒体に記録された状態で、コンピュータに提供することも可能である。コンピュータ読取可能な記録媒体としては、ＣＤ−ＲＯＭ等の光ディスク、ＤＶＤ−ＲＯＭ等の相変化型光ディスク、ＭＯ（Magnet Optical）やＭＤ(Mini Disk)などの光磁気ディスク、フロッピー（登録商標）ディスクやリムーバブルハードディスクなどの磁気ディスク、コンパクトフラッシュ（登録商標）、スマートメディア、SDメモリカード、メモリスティック等のメモリカードが挙げられる。また、本発明の目的のために特別に設計されて構成された集積回路（ICチップ等）等のハードウェア装置も記録媒体として含まれる。
【符号の説明】
【００８４】
１００  ゲートウェイ装置（ルータ機能付き終端装置）
１１０  ＷＡＮ側ＩＦ部
１１１  ＯＮＵ／モデム機能部（信号変換部）
１２０  ＬＡＮ側ＩＦ部
１２１  ルータ機能部
１３０  記憶部
１４０  管理制御部
１５０  電源供給部
３００  ＬＡＮ接続機器
３１０  ＬＡＮ側ＩＦ部
３２０  機器制御部
３３０  機器デバイス
３４０  ネットワーク監視制御部
３４１  通信監視部
３４２  判定部
３４３  リセット処理部
３４４  自己リセット部
４００  ＤＨＣＰサーバ
５００  外部サーバ
【図１】
2022002370.tif 000003
【図２】
2022002370.tif 000004
【図３】
2022002370.tif 000005
【図４】
2022002370.tif 000006
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
ＬＡＮとＷＡＮとを相互接続するルータ機能付き終端装置と、前記ルータ機能付き終端装置に接続され、ＷＡＮ側の外部サーバとの間でデータ通信を行う複数のＬＡＮ接続機器と、を含むネットワークのリセットシステムであって、
少なくとも１つの前記ＬＡＮ接続機器は、ネットワーク監視制御部を備えており、
前記ネットワーク監視制御部は、
前記ＷＡＮ側に向けた疎通確認処理を行う通信監視部と、
前記疎通確認の結果に基づいて、ネットワークリセット処理の実行／不実行を判定する判定部と、
前記ネットワークリセット処理を実行すると判定された場合に、前記ルータ機能付き終端装置に第１再起動コマンドを送出するとともに、他のＬＡＮ接続機器それぞれに第２再起動コマンドを送出するリセット処理部と、
前記第１再起動コマンド及び前記第２再起動コマンドの送出に伴って、自身を再起動する自己リセット部と、を含み、
前記ネットワーク監視制御部は、ネットワークの上位ノード及び下位ノードの各再起動を、上流の前記ルータ機能付き終端装置から順序立て実行し、下流の複数の前記各ＬＡＮ接続機器の再起動が、先行して行われる前記ルータ機能付き終端装置の再起動に追随してそれぞれ実行されるように制御することを特徴とするネットワークのリセットシステム。
【請求項２】
複数の前記各ＬＡＮ接続機器は、前記ネットワーク監視制御部をそれぞれ有しており、
複数の前記各ＬＡＮ接続機器は、互いに異なるタイミングで前記疎通確認処理を行うように設定されており、
第１ＬＡＮ接続機器の疎通確認処理において、疎通確認結果がＮＧであった場合に、前記リセット処理部は、第１ＬＡＮ接続機器以外の他のＬＡＮ接続機器すべてに対して前記ルータ機能付き終端装置への再起動コマンド送出フラグをＯＦＦにするための通知を行いつつ、前記ルータ機能付き終端装置に第１再起動コマンドを送出するとともに、前記ルータ機能付き終端装置の再起動が完了する時間に対応した所定の時間待機した後に、他のＬＡＮ接続機器それぞれに第２再起動コマンドを送出することと特徴とする請求項１に記載のネットワークのリセットシステム。
【請求項３】
前記通信監視部は、前記ルータ機能付き終端装置に対して所定の外部サーバが行ったＷＡＮ側疎通確認結果を、前記外部サーバから受信し、
前記判定部は、前記疎通確認の結果がＯＫであっても、前記ＷＡＮ側疎通確認結果がＮＧである場合、前記ネットワークリセット処理を実行すると判定することを特徴とする請求項１又は２に記載のネットワークのリセットシステム。
【請求項４】
前記ルータ機能付き終端装置は、
ＷＡＮ側インターフェース部と、
光信号又はアナログ信号をデジタル信号に変換するＯＮＵ／モデム機能部と、
ＬＡＮ配下の前記ＬＡＮ接続機器とＷＡＮ側の前記外部サーバとの間のデータ転送を行うルータ機能部と、
前記ＬＡＮ接続機器に対するＬＡＮ側インターフェース部と、を有し、
前記ルータ機能付き終端装置は、ＷＡＮ側の所定のＤＨＣＰサーバから可変グローバルＩＰアドレスが割り当てられ、前記外部サーバとの間でＬＡＮとＷＡＮとを相互接続することを特徴とする請求項１から３のいずれか１つに記載のネットワークのリセットシステム。
【請求項５】
前記ＬＡＮ側インターフェース部は、前記ＬＡＮ接続機器に設けられたＵＰｎＰ（Ｕｎｉｖｅｒｓａｌ Ｐｌｕｇ ａｎｄ Ｐｌａｙ）に対応するＵＰｎＰ機能を備えることを特徴とする請求項４に記載のネットワークのリセットシステム。
【請求項６】
前記ルータ機能付き終端装置は、
商用電源から供給される電力のＯＮ／ＯＦＦを含む電力供給制御を行う電源供給部と、
前記ルータ機能付き終端装置全体の制御を司る管理制御部と、を有し、
前記管理制御部は、前記第１再起動コマンドの受信に伴い、所定の終了処理により電源ＯＦＦと同じ状態にした後に再起動するソフトウェアリブート、または、前記電源供給部に電源ＯＦＦコマンドと自動電源ＯＮコマンドを送出するハードウェアリブートを遂行することを特徴とする請求項１から５のいずれか１つに記載のネットワークのリセットシステム。
【請求項７】
ＷＡＮ側の外部サーバと複数のＬＡＮ接続機器とを相互接続するルータ機能付き終端装置を含むネットワークにおいて、前記ＬＡＮ接続機器によって実行されるプログラムであって、前記ＬＡＮ接続機器に、
前記ＷＡＮ側に向けた疎通確認処理を行う第１機能と、
前記疎通確認の結果に基づいて、ネットワークリセット処理の実行／不実行を判定する第２機能と、
前記ネットワークリセット処理を実行すると判定された場合に、前記ルータ機能付き終端装置に第１再起動コマンドを送出するとともに、他のＬＡＮ接続機器それぞれに第２再起動コマンドを送出する第３機能と、
前記第１再起動コマンド及び前記第２再起動コマンドの送出に伴って、自身を再起動する第４機能と、を実現させ、
前記ルータ機能付き終端装置と複数の前記各ＬＡＮ接続機器とを含むネットワークの上位ノード及び下位ノードの各再起動を、上流の前記ルータ機能付き終端装置から順序立て実行し、下流の複数の前記各ＬＡＮ接続機器の再起動が、先行して行われる前記ルータ機能付き終端装置の再起動に追随してそれぞれ実行されるように制御することを特徴とするプログラム。
【請求項８】
ＬＡＮとＷＡＮとを相互接続するルータ機能付き終端装置に接続され、ＷＡＮ側の外部サーバとの間でデータ通信を行うＬＡＮ接続機器であって、
前記ＷＡＮ側に向けた疎通確認処理を行う通信監視部と、
前記疎通確認の結果に基づいて、ネットワークリセット処理の実行／不実行を判定する判定部と、
前記ネットワークリセット処理を実行すると判定された場合に、前記ルータ機能付き終端装置に第１再起動コマンドを送出するとともに、他のＬＡＮ接続機器それぞれに第２再起動コマンドを送出するリセット処理部と、
前記第１再起動コマンド及び前記第２再起動コマンドの送出に伴って、自身を再起動する自己リセット部と、を有し、
前記ルータ機能付き終端装置と複数の前記各ＬＡＮ接続機器とを含むネットワークの上位ノード及び下位ノードの各再起動を、上流の前記ルータ機能付き終端装置から順序立て実行し、下流の複数の前記各ＬＡＮ接続機器の再起動が、先行して行われる前記ルータ機能付き終端装置の再起動に追随してそれぞれ実行されるように制御することを特徴とするＬＡＮ接続機器。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
（１）本発明は、ＬＡＮとＷＡＮとを相互接続するルータ機能付き終端装置と、ルータ機能付き終端装置に接続され、ＷＡＮ側の外部サーバとの間でデータ通信を行う複数のＬＡＮ接続機器と、を含むネットワークのリセットシステムであり、少なくとも１つのＬＡＮ接続機器は、ネットワーク監視制御部を備えている。
【手続補正５】
【補正対象書類名】明細書
【補正対象項目名】００１４
【補正方法】変更
【補正の内容】
【００１４】
上記ネットワーク監視制御部は、ＷＡＮ側に向けた疎通確認処理を行う通信監視部と、疎通確認の結果に基づいて、ネットワークリセット処理の実行／不実行を判定する判定部と、ネットワークリセット処理を実行すると判定された場合に、ルータ機能付き終端装置に第１再起動コマンドを送出するとともに、他のＬＡＮ接続機器それぞれに第２再起動コマンドを送出するリセット処理部と、第１再起動コマンド及び第２再起動コマンドの送出に伴って、自身を再起動する自己リセット部と、を含む。そして、上記ネットワーク監視制御部は、ネットワークの上位ノード及び下位ノードの各再起動を、上流のルータ機能付き終端装置から順序立て実行し、下流の複数の各ＬＡＮ接続機器の再起動が、先行して行われるルータ機能付き終端装置の再起動に追随してそれぞれ実行されるように制御する。
【手続補正６】
【補正対象書類名】明細書
【補正対象項目名】００１５
【補正方法】変更
【補正の内容】
【００１５】
（２）上記（１）において、複数の各ＬＡＮ接続機器が、ネットワーク監視制御部をそれぞれ有するように構成することができ、複数の各ＬＡＮ接続機器は、互いに異なるタイミングで疎通確認処理を行うように設定することができる。
【手続補正７】
【補正対象書類名】明細書
【補正対象項目名】００１７
【補正方法】変更
【補正の内容】
【００１７】
（３）上記（１）又は（２）において、通信監視部は、ルータ機能付き終端装置に対して所定の外部サーバが行ったＷＡＮ側疎通確認結果を、前記外部サーバから受信することができる。判定部は、疎通確認の結果がＯＫであっても、ＷＡＮ側疎通確認結果がＮＧである場合、ネットワークリセット処理を実行すると判定するように構成することができる。
【手続補正８】
【補正対象書類名】明細書
【補正対象項目名】００１８
【補正方法】変更
【補正の内容】
【００１８】
（４）上記（１）から（３）において、ルータ機能付き終端装置は、ＷＡＮ側インターフェース部と、光信号又はアナログ信号をデジタル信号に変換するＯＮＵ／モデム機能部と、ＬＡＮ配下のＬＡＮ接続機器とＷＡＮ側の外部サーバとの間のデータ転送を行うルータ機能部と、ＬＡＮ接続機器に対するＬＡＮ側インターフェース部と、を有するように構成することができる。ルータ機能付き終端装置は、ＷＡＮ側の所定のＤＨＣＰサーバから可変グローバルＩＰアドレスが割り当てられ、外部サーバとの間でＬＡＮとＷＡＮとを相互接続するように構成される。
【手続補正９】
【補正対象書類名】明細書
【補正対象項目名】００１９
【補正方法】変更
【補正の内容】
【００１９】
（５）上記（４）において、ＬＡＮ側インターフェース部は、ＬＡＮ接続機器に設けられたＵＰｎＰ（Ｕｎｉｖｅｒｓａｌ Ｐｌｕｇ ａｎｄ Ｐｌａｙ）に対応するＵＰｎＰ機能を備えるように構成することができる。
【手続補正１０】
【補正対象書類名】明細書
【補正対象項目名】００２０
【補正方法】変更
【補正の内容】
【００２０】
（６）上記（１）から（５）において、ルータ機能付き終端装置は、商用電源から供給される電力のＯＮ／ＯＦＦを含む電力供給制御を行う電源供給部と、ルータ機能付き終端装置全体の制御を司る管理制御部と、を有するように構成される。このとき、管理制御部は、第１再起動コマンドの受信に伴い、所定の終了処理により電源ＯＦＦと同じ状態にした後に再起動するソフトウェアリブート、または、電源供給部に電源ＯＦＦコマンドと自動電源ＯＮコマンドを送出するハードウェアリブートを遂行することができる。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
（７）本発明は、ＷＡＮ側の外部サーバと複数のＬＡＮ接続機器とを相互接続するルータ機能付き終端装置を含むネットワークにおいて、ＬＡＮ接続機器によって実行されるプログラムである。本プログラムは、ＬＡＮ接続機器に、ＷＡＮ側に向けた疎通確認処理を行う第１機能と、疎通確認の結果に基づいて、ネットワークリセット処理の実行／不実行を判定する第２機能と、ネットワークリセット処理を実行すると判定された場合に、ルータ機能付き終端装置に第１再起動コマンドを送出するとともに、他のＬＡＮ接続機器それぞれに第２再起動コマンドを送出する第３機能と、第１再起動コマンド及び第２再起動コマンドの送出に伴って、自身を再起動する第４機能と、を実現させ、ルータ機能付き終端装置と複数の各ＬＡＮ接続機器とを含むネットワークの上位ノード及び下位ノードの各再起動を、上流のルータ機能付き終端装置から順序立て実行し、下流の複数の各ＬＡＮ接続機器の再起動が、先行して行われるルータ機能付き終端装置の再起動に追随してそれぞれ実行されるように制御する。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
（８）本発明は、ＬＡＮとＷＡＮとを相互接続するルータ機能付き終端装置に接続され、ＷＡＮ側の外部サーバとの間でデータ通信を行うＬＡＮ接続機器である。ＬＡＮ接続機器は、ＷＡＮ側に向けた疎通確認処理を行う通信監視部と、疎通確認の結果に基づいて、ネットワークリセット処理の実行／不実行を判定する判定部と、ネットワークリセット処理を実行すると判定された場合に、ルータ機能付き終端装置に第１再起動コマンドを送出するとともに、他のＬＡＮ接続機器それぞれに第２再起動コマンドを送出するリセット処理部と、第１再起動コマンド及び第２再起動コマンドの送出に伴って、自身を再起動する自己リセット部と、を有する。上記ＬＡＮ接続機器は、上記ルータ機能付き終端装置と複数の各ＬＡＮ接続機器とを含むネットワークの上位ノード及び下位ノードの各再起動を、上流のルータ機能付き終端装置から順序立て実行し、下流の複数の各ＬＡＮ接続機器の再起動が、先行して行われるルータ機能付き終端装置の再起動に追随してそれぞれ実行されるように制御する。